(57)【要約】【課題】取り付け取り外しが容易で、殆どの便器に装着が可能であり、被看護者による便器の便座への着座および離座を検知するトイレセンサを提供する。【解決手段】トイレセンサ１は、逆Ｌ字形に形成された袋体２ａの平面内部にセンサ３が設けられており、このセンサ３は、荷重によって作動するスイッチと、該スイッチからの信号を取出すための信号取出部４から構成されている。前記袋体２は、可撓性があり耐水性と防汚性を有する金属等を用いて、便器５０のリム５１の形状に合わせて成形している。前記袋体２ａの垂下内部には、信号取出部４からの信号を無線送信する無線送信器７が設けられており、垂下外部の便器５０本体と対向する面には、着脱自在な係止手段５が設けられている。【選択図】          図２
0003171488.tif 000002
【実用新案登録請求の範囲】
【請求項１】
便器本体に着脱自在に取り付けて、便座への着座および離座を検出するトイレセンサであって、逆Ｌ形に形成された袋体の平面内部にはセンサが設けられており、前記センサは、荷重によって作動するスイッチと、該スイッチからの信号を取出すための信号取出部から構成されており、前記袋体の垂下外部の便器本体と対向する面には、着脱自在な係止手段が設けられていることを特徴とするトイレセンサ。
【請求項２】
便器本体に着脱自在に取り付けて、便座への着座および離座を検出するトイレセンサであって、逆Ｌ形に形成された袋体の平面内部にセンサが設けられており、前記センサは、荷重によって作動するスイッチと、該スイッチからの信号を取出すための信号取出部から構成されており、前記袋体の垂下内部には信号取出部からの信号を無線送信する無線送信器が設けられており、前記袋体の垂下外部の便器本体と対向する面には、着脱自在な係止手段が設けられていることを特徴とするトイレセンサ。
【請求項３】
前記センサは、テープスイッチ、荷重素子、ピエゾ素子、またはタクティールスイッチであることを特徴とする請求項１または２に記載のトイレセンサ。
【請求項４】
前記逆Ｌ形の袋体は、垂下面とは反対側の平面端部に、便器のリムを抱持する引掛け金具が設けられていることを特徴とする請求項１〜３いずれかに記載のトイレセンサ。
【請求項５】
前記袋体は、便器本体のリム上面に跨乗するコの字形に形成されていることを特徴とする請求項１〜３いずれかに記載のトイレセンサ。
【請求項６】
前記トイレセンサは、前記袋体を取り付けた便器本体のリムとは対極側のリムに、前記袋体の平面部と同一の厚さを有する隙間調整具が設けられていることを特徴とする請求項１〜５いずれかに記載のトイレセンサ。
【請求項７】
前記袋体は、金属、非鉄金属、ゴム、軟質または硬質合成樹脂のいずれかで形成されていることを特徴とする請求項１〜６いずれかに記載のトイレセンサ。
【考案の詳細な説明】
【技術分野】
【０００１】
本考案は、着脱自在に便器に取り付けて、被看護者による便器の便座への着座および離座を検知する、トイレセンサに関するものである。
【背景技術】
【０００２】
病院や介護施設等における被看護者の看護は、看護者にとって精神的、肉体的に非常に大きな負担がかかっている。例えば、トイレの使用に関しては、便座への着座および離座時に介助が必要な被看護者が少なくない。そこで、被看護者が便器を使用する場合の支援装置として、便器本体と、この便器本体に装備された制御部とで構成され、この制御部は、上記便器本体の使用状況を検知する検知手段と、この検知手段からの使用状態信号を応答端末装置に送信する送信手段とを有するトイレ装置が開示されている（特許文献１参照。）。一方、本考案者は、便器に適用できるものとして、対向して配置された一対の電極板と、該電極板に設けられた電極と、該電極からの接点信号を取出すための信号取出部より構成された、荷重検知センサを提供している（特許文献２参照。）。
【先行技術文献】
【特許文献】
【０００３】
【特許文献１】特開２００６−３４８５３４号公報
【特許文献２】特開２００９−１８６２１２号公報
【考案の開示】
【考案が解決しようとする課題】
【０００４】
特許文献１に記載のトイレ装置は、主として居間等に設置する簡易トイレの便器本体に制御部が一体的に組み込まれたものであり、この制御部を取り外しすることはできない。また、便所に設置された既設便器との間を配管で接続する必要があり、容易に設置できないばかりか、設置場所にも制約があるという課題があった。一方、特許文献２に記載の荷重検知センサは、便器本体のリム上面に粘着テープを用いて貼付するものであり、設置は簡単であるが、貼付位置の変更や他の便器への移設に手間取るという課題があった。本考案は、これらの課題を解決するためになされたものであり、取り付け取り外しが容易で、殆どの便器に装着が可能なトイレセンサを提供することを目的としている。
【課題を解決するための手段】
【０００５】
本考案の請求項１に係るトイレセンサは、逆Ｌ形に形成された袋体の平面内部にセンサが設けられており、このセンサは、荷重によって作動するスイッチと、該スイッチからの信号を取出すための信号取出部から構成されている。また、前記袋体の垂下外部の便器本体と対向する面には、着脱自在な係止手段が設けられている。
【０００６】
これによれば、殆どの便器に着脱自在に取り付けて、被看護者による便器の便座への着座および離座を検知することが可能となり、被看護者および看護者の双方の精神的、肉体的負担が軽減される。
【０００７】
本考案の請求項２に係るトイレセンサは、逆Ｌ形に形成された袋体の平面内部にセンサが設けられており、前記センサは、荷重によって作動するスイッチと、該スイッチからの信号を取出すための信号取出部から構成されている。また、前記袋体の垂下内部には信号取出部からの信号を無線送信する無線送信器が設けられており、前記袋体の垂下外部の便器本体と対向する面には、着脱自在な係止手段が設けられている。
【０００８】
これによれば、殆どの便器に着脱自在に取り付けて、被看護者による便器の便座への着座および離座を検知することが可能となり、被看護者および看護者の双方の精神的、肉体的負担が軽減される。また、前記センサの検知信号が無線送信器により遠隔地に送信されるため、看護者は被看護者から離間した場所にいても、迅速に対応することができる。
【０００９】
本考案の請求項３に係るトイレセンサに用いられているセンサは、テープスイッチ、荷重素子、ピエゾ素子、またはタクティールスイッチである。これらセンサは、軽量且つ小型であるため、狭隘な便器のリムに装着するのに最適である。
【００１０】
本考案の請求項４に係るトイレセンサは、前記逆Ｌ形の袋体は、垂下面とは反対側の平面端部に、便器のリムを抱持する引掛け金具が設けられている。便器のリムの形状は様々であるが、リムの内側面に凹部を有する便器（例えば、図３参照）には、引掛け金具を設けると、より確実にトイレセンサを載置することができる。
【００１１】
本考案の請求項５に係るトイレセンサは、前記袋体の形状が便器本体のリム上面に跨乗するコ字形に形成されている。前記袋体が前記リム上面に跨乗するコ字形であれば、より容易且つ確実に設置することができる。
【００１２】
本考案の請求項６に係るトイレセンサは、前記袋体を取り付けた便器本体のリムとは対極側のリムに、前記袋体の平面部と同一の厚さを有する隙間調整具が設けられている。前記袋体を載置しているリムと対極のリム間には高低差が生じて傾斜するので、使用者が着座したときに違和感が生じる。そこで、対極のリム間に前記袋体の平面部と同一の厚さを有する隙間調整具を設けることにより、この問題が解消される。これにより、通常の便器と同様に違和感なく使用することができる。
【００１３】
本考案の請求項７に係るトイレセンサは、前記袋体は、可撓性を有し、耐水性と防汚性を有する金属、非鉄金属、ゴム、軟質または硬質合成樹脂のいずれかで形成されているので、日常の掃除を簡単に行なうことができる。
【考案の効果】
【００１４】
本考案のトイレセンサは、殆どの便器に着脱自在に取り付けて、被看護者による便器の便座への着座および離座を検知することが可能となり、被看護者および看護者の双方の精神的、肉体的負担が軽減される。また、前記センサの検知信号が無線送信器により遠隔地に送信されるため、看護者は被看護者から離間した場所にいても、迅速に対応することができる。
【００１５】
便器のリムを抱持する引掛け金具を設けることで、より確実にトイレセンサを載置することができる。また、対極のリム間に前記袋体の平面部と同一の厚さを有する隙間調整具を設けることにより、通常の便器と同様に使用することができる。さらに、前記袋体は、可撓性を有し、耐水性と防汚性を有する金属、非鉄金属、ゴム、軟質または硬質合成樹脂のいずれかで形成されているので、日常の掃除を簡単に行なうことができる。
【図面の簡単な説明】
【００１６】
【図１】本考案の第一実施形態を示したもので、（a）は側面図であり、（b）は正面断面図である。
【図２】本考案の第二実施形態を示したもので、（a）は側面図であり、（b）は正面断面図である。
【図３】本考案の第三実施形態を示した正面断面図である。
【図４】本考案の他の実施形態を示した正面断面図である。
【図５】本考案の他の実施形態を示した正面断面図である。
【図６】本考案の隙間調整具を示したもので、（a）は正面図であり、（b）は便器のリムに取り付た状態を示す説明図である。
【図７】本考案の第一実施形態のブロック図である。
【図８】本考案の第二実施形態のブロック図である。
【図９】本考案を用いたシステム構成図の一例である。
【考案を実施するための形態】
【００１７】
（第一実施形態）
本発明の実施形態について、図面に基づき詳細に説明する。なお、同一部材は同一符号を付与している。図１において、トイレセンサ１は、逆Ｌ字形に形成された袋体２の平面内部にセンサ３が設けられており、このセンサ３は、荷重によって作動するスイッチと、該スイッチからの信号を取出すための信号取出部４から構成されている。
【００１８】
前記袋体２は、可撓性があり耐水性と防汚性を有する金属、非鉄金属、ゴム、軟質または硬質合成樹脂等を用いており、特に、金属および非鉄金属はフォーミング加工により便器５０のリム５１の形状に合わせて成形することができる。前記袋体２の平面は便器のリム５１の上面に載置される部分であり、内部にはセンサ３が設けられている。
【００１９】
前記袋体２の垂下内部には、信号取出部４から延設された信号取出ケーブル６が内装されている。また、前記袋体２の垂下外部の便器５０本体と対向する面には、着脱自在な係止手段５、例えば、複数の吸盤が設けられている。殆どの据付型便器の材質は陶器であるが、陶器は表面に微細な空隙が存在するので吸盤が剥がれ易い。トイレセンサ１の係止手段５として大きな吸盤（例えば４０ｍｍ径以上のもの）１個を設けた場合は、吸盤に空気が流入して便器から外れるとトイレセンサ１が便器５０のリム５１から脱落する恐れがある。そこで、本考案では９個の小さな吸盤（例えば、２０ｍｍ径）を設置している。このため、１〜数個の吸盤が剥がれても、残りの吸盤で袋体２を便器５０に吸着することが可能となる。なお、図１では吸盤を９個設けているが、少なくとも２個、より望ましくは４個〜９個である。
【００２０】
（第二実施形態）
図２において、トイレセンサ１は、逆Ｌ字形に形成された袋体２ａの平面内部にセンサ３が設けられており、このセンサ３は、荷重によって作動するスイッチと、該スイッチからの信号を取出すための信号取出部４から構成されている。また、前記袋体２ａの垂下内部には信号取出部４からの信号を無線送信する無線送信器７が設けられており、垂下外部の便器５０本体と対向する面には、着脱自在な係止手段５が設けられている。
【００２１】
前記袋体２ａは、第一実施形態と同様に、可撓性があり耐水性と防汚性を有する金属、非鉄金属、ゴム、軟質または硬質合成樹脂等を用いており、特に、金属および非鉄金属はフォーミング加工により便器のリム形状に合わせて成形することができる。前記袋体２ａの平面は便器５０のリム５１上面に載置される部分であり、内部にはセンサ３が設けられている。
【００２２】
前記袋体２ａの垂下内部には、信号取出部４からの信号を無線送信する無線送信器７が設けられている。この無線送信器７は複数の機器番号を設定する機能を有しているので、同一病室に複数のトイレセンサ１を設置しても混信することはない。また、無線送信器７の電源は電池（図示しない）を用いている。無線方式とすれば、看護者が被看護者と離間した場所にいても、専用報知器、機携電話（ＰＨＳを含む）またはナースコールシステムで使用することが可能である。
なお、前記袋体２ａの垂下外部の便器本体と対向する面に設けられた着脱自在な係止手段５は、第一実施形態と同一であるので、説明は省略する。
【００２３】
本考案に用いられるセンサ３は、テープスイッチ、荷重素子、ピエゾ素子またはタクティールスイッチである。テープスイッチとは、テープ状の感圧スイッチであり、上部・下部の２つの長い電極と、その間を保つ絶縁材、外装被覆で構成し、被覆の上からテープを押すことでその箇所に上下の電極が接触しＯＮになる。最大の特長は長さ方向に自在にカットして使用できることであり、動作荷重も選択できる。
【００２４】
荷重素子とは感圧センサであり、荷重を抵抗に変換することができる素子である。感圧センサは、荷重（圧力）を加えていない時の抵抗値は数ＭΩ以上であるが、荷重を加えると抵抗値が下がり数１０ＫΩ以下となる性質を利用して、本考案のセンサとして用いている。
【００２５】
ピエゾ素子とは圧電素子のことであり、強誘電体の一種で、振動や圧力が加わると電圧が発生し、逆に電圧が加えられると伸縮する。圧電素子は電圧の制御によって微妙に伸縮変化させることが可能である。本考案では、変換回路で電圧を接点信号にして使用する。
【００２６】
タクティールスイッチは、押しボタンスイッチの一種であり、本考案では荷重を受けている（ボタンが押されている）間はスイッチがＯＮする構造のスイッチを用いている。このように、前記した各センサは、軽量且つ小型であるため、狭隘な便器のリム上面に装着するのに最適である。
【００２７】
（第三実施形態）
図３において、逆Ｌ形の袋体２ａには、垂下面とは反対側の平面端部に、便器５０のリム５１を抱持する引掛け金具８が設けられている。便器５０のリム５１形状は様々であるが、リム５１の内側面に凹部を有する便器（例えば、図３参照。）では、先端がリム５１の断面形状に沿った形状を有する引掛け金具８を設けると、より確実にトイレセンサ１を載置することができる。なお、前記引掛け金具８は，支点となる接続金具８ａより先端部分が回動可能に形成されているので、容易に取り付け取り外しができる。また、無線送信器７に代えて、荷重によって作動するスイッチからの信号を取出す、取出しケーブル（有線式）としてもよい。なお、袋体および吸盤の構造並びに機能は前記第一実施例、第二実施例と同一であるから、詳細説明は省略する。
【００２８】
（他の実施形態）
図４において、逆Ｌ形の袋体２ａは、垂下面とは反対側の平面端部から垂下した側壁９が設けられている。この形状とすれば、より確実にトイレセンサを載置することができる。また、無線送信器７に代えて、荷重によって作動するスイッチからの信号を取出す、取出しケーブル（有線式）としてもよい。なお、袋体および吸盤の構造並びに機能は前記第一実施例、第二実施例と同一であるから、詳細説明は省略する。
【００２９】
（他の実施形態）
図５において、袋体２ｂは、便器５０のリム５１上面に跨乗するコ字形に形成されており、前記袋体２ｂの平面内部にはセンサ３が設けられており、便器リムの外側面に対向する垂下内面には、センサのスイッチからの信号を取出すための信号取出ケーブル６が設けられている。この形状とすれば、係止手段である吸盤を用いなくても、リム５１上面に確実に載置することができる。なお、袋体およびセンサの構造並びに機能は前記第一実施例、第二実施例と同一であるから、詳細説明は省略する。
【００３０】
図６において、トイレセンサ１ａが取り付けられた便器５０のリム５１と対極にあるリム５１に、隙間調整具１０が着脱自在に跨乗されている。前記トイレセンサ１ａを一方のリム５１上面に載置すると、対極のリム５１上面とは、袋体１ａの平面部の厚さだけ高低差が生じる。この状態で便座６０を便器５０に倒すと、前記高低差により便座６０が傾斜して、使用者（被看護者）に違和感を与える。これを解消するために、前記隙間調整具１０が設けられている。なお、図６では、左側にトイレセンサ１ａを載置して、右側に隙間調整具１０を跨乗させているが、右側にトイレセンサ１ａを載置して、左側に隙間調整具１０を跨乗させることも当然可能である。
【００３１】
図７は有線式トイレセンサのブロック図であり、センサ３からの信号は、信号取出しケーブル６を通じて取出される。なお、テープスイッチ、ピエゾ素子およびタクティースイッチは接点信号として取出され、荷重素子は抵抗出力として取出される。
【００３２】
図８は無線式トイレセンサのブロック図であり、センサ３からの信号は、信号変換回路２０を経て無線送信器７に設けられたアンテナ７ａから無線送信される。なお、無線送信器等は電池２１（乾電池又は充電池）で駆動される。
【００３３】
図９において、ナースコールシステム等への適用例を示したもので、１はトイレセンサ、４０は受信器（ナースコール中継器）、４２はナースコールシステム、４３はナースコール親機である。４４は送信器（約１００ｍの伝達能力を有する）であり、受信器４０の出力信号（即ち、トイレセンサ１の作動信号）を受けて作動する無線送信器であり、例えば、特定小電力無線により信号を送出する。４５は専用報知器であり、送信器４４の無線信号を受信して報知する携帯可能な受信器であり、通達距離以内であればどこにいても受信可能である。報知は液晶に文字や絵で表示するほか、音、音楽、バイブレータ機能をもつ。４６は変換送信器であり、送信器４４の出力信号に作動するもので、専用の信号を一般的な携帯電話で受信できる電話回線用信号に変換して送出する。これによって、トイレセンサ１の作動信号は一般的な携帯電話に報知することができ、報知範囲が格段に広がる。４７は携帯電話である。トイレセンサ１と中継器（ナースコール中継器）４０間は、有線または無線で送信される。専用報知器４５には、中継器４０からの信号は送信器４４を経由して送信される。また、携帯電話４７には、中継器４０からの信号は送信器４４を経由して変換送信器４６でデータ変換して送信される。
【符号の説明】
【００３４】
１，１ａ  トイレセンサ、２，２a、２ｂ  袋体、３  センサ（スイッチ）
４  信号取出部、５  係止手段、６  信号取出ケーブル、７  無線送信器
７ａ  アンテナ、８  引掛け金具、８ａ  接続金具、９  側壁、１０  隙間調整具
２０  信号変換回路、２１  電池、３０  送信器、３１  専用報知器
４０  受信器（ナースコール中継器）、４２  ナースコールシステム
４３  ナースコール親機、４４  送信器、４５  専用報知器、４６  変換送信器
４７  携帯電話、５０  便器、５１  リム、６０  便座
【図１】
0003171488.tif 000003
【図２】
0003171488.tif 000004
【図３】
0003171488.tif 000005
【図４】
0003171488.tif 000006
【図５】
0003171488.tif 000007
【図６】
0003171488.tif 000008
【図７】
0003171488.tif 000009
【図８】
0003171488.tif 000010
【図９】
0003171488.tif 000011